(57)【要約】【課題】多くの人に多様な情報を提供する用途に用いられる大型の画像表示装置において，個々の人の操作に応じて表示画像全体が切り替わることなく，個々の人の簡易な操作により，その操作者が見やすい画面上の位置にその操作者が望む画像を表示させることができる操作性の高い画像表示装置を提供すること。【解決手段】画面のタッチ内容を検知するタッチ操作検出回路１０により個別に検知される１又は複数の第１のタッチ操作ごとに，そのタッチ位置に対応した画面の一部の個別表示領域に画像処理回路２によって操作案内情報を表示させ，メイン制御回路８により，前記第１のタッチ操作のタッチ位置に対応する画面の一部の個別タッチ領域で検知される第２のタッチ操作の内容に応じて画像を特定し，その画像を対応する前記個別表示領域に表示させる。【選択図】図１
2010015501.tif 000002
【特許請求の範囲】
【請求項１】
画像を表示する画像表示手段と，被操作面に対するタッチ操作の内容を検知するタッチ操作入力手段と，を備えた画像表示装置であって，
前記タッチ操作入力手段により個別に検知される１又は複数の第１のタッチ操作ごとに，そのタッチ位置に対応した前記画像表示手段の画面の一部の領域である個別表示領域に操作案内情報を表示させる操作案内表示制御手段と，
前記第１のタッチ操作のタッチ位置に対応する前記被操作面の一部の領域である個別タッチ領域において前記タッチ操作入力手段により検知される第２のタッチ操作の内容に応じて，該個別タッチ領域に対応する前記個別表示領域に表示させる画像を特定する個別表示画像特定手段と，
前記個別表示画像特定手段により特定された画像を対応する前記個別表示領域に表示させる個別画像表示制御手段と，
を具備してなることを特徴とする画像表示装置。
【請求項２】
前記個別表示画像特定手段が，
前記第２のタッチ操作の内容に応じて，前記画像表示手段の画面に既に表示中のベース画像の一部である部分画像を前記個別表示領域に表示させる画像として特定してなる請求項１に記載の画像表示装置。
【請求項３】
前記個別表示画像特定手段が，
前記画像表示手段の画面における前記ベース画像の上に前記個別タッチ領域ごとに異なるカーソルを表示させ，前記個別タッチ領域における前記第２のタッチ操作の内容に応じて前記カーソルの表示位置の移動処理及び前記カーソルの指示位置の確定処理を行い，確定された前記カーソルの指示位置に表示されている前記ベース画像の一部の前記部分画像を前記個別表示領域に表示させる画像として特定するカーソル指定式画像特定手段を含んでなる請求項２に記載の画像表示装置。
【請求項４】
前記ベース画像にそれぞれ個別のコンテンツ画像である複数の前記部分画像が含まれ，
前記操作案内情報が，複数の前記コンテンツ画像の識別情報を選択項目とする選択メニュー情報であり，
前記個別表示画像特定手段が，前記第２のタッチ操作の内容に応じて前記選択メニュー情報における前記識別情報を選択することにより複数の前記コンテンツ画像の中から前記個別表示領域に表示させる画像を特定するメニュー選択式画像特定手段を含んでなる請求項２に記載の画像表示装置。
【請求項５】
前記操作案内情報が，複数のコンテンツ画像の識別情報を選択項目とする選択メニュー情報であり，
前記個別表示画像特定手段が，前記第２のタッチ操作の内容に応じて前記選択メニュー情報における前記識別情報を選択することにより複数の前記コンテンツ画像の中から前記個別表示領域に表示させる画像を特定するメニュー選択式画像特定手段を含んでなる請求項１に記載の画像表示装置。
【請求項６】
前記画像表示手段が，表示画像の各画素を描画する複数の液晶素子と前方の明るさを検出する複数の光電変換素子とがパネル上に近接して配列されてなる光センサ組込型液晶表示パネルであり，
前記タッチ操作入力手段が，前記光センサ組込型液晶表示パネルにおける複数の前記光電変換素子それぞれの検出結果に基いて，前記被操作面を形成する前記光センサ組込型液晶表示パネルの表面に対するタッチ操作の内容を検知してなる請求項１〜５のいずれかに記載の画像表示装置。
【請求項７】
前記タッチ操作入力手段が，前記画像表示手段の画面の周囲に形成される縁枠部材における前記画面の幅に対応する範囲に設けられて前記被操作面を形成する複数の静電容量センサを備え，該静電容量センサごとにその表面に対するタッチ操作の内容を個別に検知してなる請求項１〜５のいずれかに記載の画像表示装置。
【請求項８】
予め定められた終了条件を前記個別表示領域ごとに判別し，該終了条件の成立した前記個別表示領域について，前記個別画像表示制御手段及び前記操作案内表示制御手段による表示処理を終了させる個別表示終了制御手段を具備してなる請求項１〜７のいずれかに記載の画像表示装置。
【発明の詳細な説明】
【技術分野】
【０００１】
本発明は，タッチ操作入力機能を備えた画像表示装置に関するものである。
【背景技術】
【０００２】
昨今，液晶表示装置に代表される画像表示装置は，軽量で画面サイズの大きなものが普及しつつある。そのような大型で軽量の画像表示装置は，公共の場に設置される案内ディスプレイとしての用途等，多くの人に多様な情報を提供する用途に好適である。
一般に，大型の画像表示装置が，多くの人への情報提供の用途に用いられる場合，複数の画像が予め定められた順序で表示されたり，或いは複数の画像が同時に並べて表示されたりすることが多い。
その他，各ユーザが，画像表示装置に設けられた操作部，又は予め用意されたリモート操作器（いわゆるリモコン）を操作し，目的とする情報（画像）が表示される画面への切り替え操作を行うという利用形態も考えられる。
また，特許文献１には，画面の縁枠部に複数の操作キーが設けられ，その操作キーが操作された場合に，ページ送り（表示画面の切り替え）処理や，予めその操作キーの近くの画面内に表示されたメニュー画像に対応する指令が出力される画像表示装置が示されている。
【０００３】
一方，非特許文献１等に示されるように，複数の液晶素子各々と前方の明るさを検出する複数の光電変換素子（光センサ）各々とが，表示画像の画素ごとにパネル上に近接して配列された液晶表示パネルが既に実用化されている。以下，そのような液晶表示パネルのことを，光センサ組込型液晶表示パネルと称する。
前記光センサ組込型液晶表示パネルは，画像表示部として機能することに加え，空間分解能の高いタッチパネルやスキャナとしても機能し得る。
また，前記光センサ組込型液晶表示パネルは，抵抗膜方式や静電容量方式のタッチパネルのように，パネルの表面に貼り付けられるタッチパネル用フィルムを要しない。そのため，前記光センサ組込型液晶表示パネルは，タッチパネル用フィルムに起因するバックライト光の減衰や外部光の反射によって画像の表示品質が低下する等の問題が生じない。しかも，前記光センサ組込型液晶表示パネルは，パネル上の複数箇所に対して同時に行われるタッチ操作の操作位置を個別に検出できるという長所も有している。
【特許文献１】特開昭６３−２０１８１３号公報
【非特許文献１】マイコミジャーナル  2007.8.31記事, http://journal.mycom.co.jp/news/2007/08/31/022/index.html
【発明の開示】
【発明が解決しようとする課題】
【０００４】
ところで，特許文献１に示される画像表示装置は，ある人によってページ送りキーが操作されると，表示画像全体が切り替わる。
しかしながら，大型の画像表示装置が，多くの人への情報提供の用途に用いられる場合，個々の人の操作に応じて表示画像全体が切り替わることは，他の人の利用の妨げとなるという問題点があった。
また，大型の画像表示装置において，表示可能な画像の全てが一覧表示される画像の表示中に，その中の一部の部分画像を次々と詳しく確認したい場合がある。例えば，観光地や見学施設の全貌を表す一覧表示画像の表示中に，その一覧表示画像の一部に含まれる個々の観光ポイントや見学ポイントの説明画像を次々と詳しく確認したいというニーズがある。しかしながら，そのような場合に，一覧表示画像とその一部の部分画像とを都度切り替えることは，見辛く操作性が悪いという問題点がった。
また，大型の画像表示装置が，いわゆるマルチ画面表示機能により，リモート操作器等の操作部に対する操作に応じて，画面上の指定された位置に指定された画像を表示させる場合も，以下のような問題点がある。
例えば，一般的な画像表示装置は，リモート操作器等を操作する人の位置を検知できないため，画像を指定した操作者が見やすい位置に指定された画像が表示されない場合があるという問題点がある。また，操作者が，画像の表示位置まで指定することは，その指定操作が面倒である。
さらに，複数の人の要求を並行して受け付け可能なように，複数のリモート操作器が用意された場合，複数のリモート操作器から画面上の同じ表示領域について異なる表示の指定がなされ，結局は他の人の利用の妨げとなり得るという問題点があった。
従って，本発明は上記事情に鑑みてなされたものであり，その目的とするところは，多くの人に多様な情報を提供する用途に用いられる大型の画像表示装置において，個々の人の操作に応じて表示画像全体が切り替わることなく，個々の人の簡易な操作により，その操作者が見やすい画面上の位置にその操作者が望む画像を表示させることができる操作性の高い画像表示装置を提供することにある。
【課題を解決するための手段】
【０００５】
上記目的を達成するために本発明に係る画像表示装置は，画像を表示する画像表示手段と，被操作面に対するタッチ操作の内容を検知するタッチ操作入力手段とを備え，さらに，次の（１）〜（３）に示される各構成要素を備えている。
（１）前記タッチ操作入力手段により個別に検知される１又は複数の第１のタッチ操作ごとに，そのタッチ位置に対応した前記画像表示手段の画面の一部の領域である個別表示領域に操作案内情報を表示させる操作案内表示制御手段。
（２）前記第１のタッチ操作のタッチ位置に対応する前記被操作面の一部の領域である個別タッチ領域において前記タッチ操作入力手段により検知される第２のタッチ操作の内容に応じて，その個別タッチ領域に対応する前記個別表示領域に表示させる画像を特定する個別表示画像特定手段。
（３）前記個別表示画像特定手段により特定された画像を対応する前記個別表示領域に表示させる個別画像表示制御手段。
【０００６】
本発明に係る画像表示装置では，操作者が前記タッチ操作入力手段における前記被操作面に前記第１のタッチ操作を行った場合に，そのタッチ位置に対応した画面上の位置（具体的には，タッチ位置に近い位置）に操作案内情報が表示される。さらに，操作者が，その操作案内情報に従って，前記第１のタッチ操作を行った位置で所望の画像を指定する操作を行えば，そのタッチ位置に近い位置に指定した画像が表示される。
従って，本発明が，大型の画像表示装置に適用され，多くの人に多様な情報を提供する用途に用いられた場合，個々の人の簡易な操作により，その操作者が見やすい画面上の位置（近い位置）にその操作者が望む画像が表示される。即ち，個々の操作者の操作に応じて表示画像全体が切り替わることなく，個々の操作者が望む画像が個々の操作者の見やすい位置に表示され，操作性の高い画像表示装置が実現される。
また，前記個別表示画像特定手段が，前記第２のタッチ操作の内容に応じて，前記画像表示手段の画面に既に表示中のベース画像の一部である部分画像を前記個別表示領域に表示させる画像として特定することが考えられる。
このような構成は，表示可能な画像の全てが一覧表示される前記ベース画像の表示中に，個々の操作者が，そのベース画像の中の一部の部分画像を次々と見やすい位置に表示させて詳しく確認したいという用途に対し特に好適である。例えば，観光地や見学施設等に設置される案内ディスプレイへの用途がそれにあたる。
【０００７】
また，前記個別表示画像特定手段が，以下に示される各処理を実行するカーソル指定式画像特定手段を含むことが考えられる。
・前記画像表示手段の画面における前記ベース画像の上に前記個別タッチ領域ごとに異なるカーソルを表示させる。
・前記個別タッチ領域における前記第２のタッチ操作の内容に応じて前記カーソルの表示位置の移動処理及び前記カーソルの指示位置の確定処理を行う。
・前記確定処理により確定された前記カーソルの指示位置に表示されている前記ベース画像の一部の前記部分画像を前記個別表示領域に表示させる画像として特定する。
これにより，操作者は，自身の近くで詳しく確認したい前記部分画像を，前記ベース画像の中での位置づけを確認しながら指定できる。このような構成は，例えば，前記ベース画像が，操作者の現在地（当該画像表示装置の設置場所）及び観光ポイントの説明画像を含む観光マップの画像である場合に，操作者が，現在地に近いものから順に観光ポイントの説明画像を確認するような用途に好適である。しかも，画像表示装置自体が上記機能を備えるため，画像表示装置に接続された計算機によって特別な画面制御用のアプリケーションソフトを構築する手間も要しない。
【０００８】
一方，前記ベース画像にそれぞれ個別のコンテンツ画像である複数の前記部分画像が含まれる場合も考えられる。即ち，前記ベース画像が，複数のコンテンツ画像が並べて配置された画像である場合である。
その場合，前記操作案内情報が，複数の前記コンテンツ画像の識別情報を選択項目とする選択メニュー情報であり，前記個別表示画像特定手段が，以下の処理を実行するメニュー選択式画像特定手段を含むことが考えられる。
即ち，前記メニュー選択式画像特定手段は，前記第２のタッチ操作の内容に応じて前記選択メニュー情報における前記識別情報を選択することにより複数の前記コンテンツ画像の中から前記個別表示領域に表示させる画像を特定する。
なお，前記識別情報としては，例えば，各コンテンツ画像の内容を表すタイトル（名称）や，前記ベース画像中に前記コンテンツ画像とともに含められた識別符号等が考えられる。
当該画像表示装置の用途によっては，選択メニュー情報が，操作者の位置に対応する画面上の位置（操作者の近く）に表示された方が操作しやすい場合もある。例えば，前記コンテンツ画像の選択の際，前記ベース画像内に配置された前記コンテンツ画像の位置が特に重要でない場合等には好適である。
【０００９】
また，前記画像表示手段が，表示画像の各画素を描画する複数の液晶素子と前方の明るさを検出する複数の光電変換素子とがパネル上に近接して配列されてなる光センサ組込型液晶表示パネルを備えていることが考えられる。
その場合，前記光センサ組込型液晶表示パネルは，タッチパネルの操作部（被操作面）としても兼用可能である。
即ち，前記タッチ操作入力手段が，前記光センサ組込型液晶表示パネルにおける複数の前記光電変換素子それぞれの検出結果に基いて，前記被操作面を形成する前記光センサ組込型液晶表示パネルの表面に対するタッチ操作の内容を検知することが考えられる。
これにより，本発明に係る画像表示装置は，耐久性に優れたタッチパネル（前記タッチ操作入力手段）を備えることとなり，多数の人に頻繁に操作され得る環境下での利用に好適な装置となる。
なお，前記タッチ操作入力手段が，前記画像表示手段の画面の周囲に形成される縁枠部材における前記画面の幅に対応する範囲に設けられて前記被操作面を形成する複数の静電容量センサを備え，その静電容量センサごとにその表面に対するタッチ操作の内容を個別に検知することも考えられる。
【００１０】
また，本発明に係る画像表示装置が，さらに次に示される構成要素を備えることが考えられる。
・予め定められた終了条件を前記個別表示領域ごとに判別し，その終了条件の成立した前記個別表示領域について，前記個別画像表示制御手段及び前記操作案内表示制御手段による表示処理を終了させる個別表示終了制御手段。
なお，前記終了条件としては，例えば，次の２つの条件の一方又は両方が考えられる。
・前記個別表示領域に対応する前記個別タッチ領域において，前記タッチ操作入力手段によって前記操作案内情報で示される所定の終了操作が検知されること。
・前記個別表示領域に対応する前記個別タッチ領域において，タッチ操作が検知されない状態が所定時間以上継続すること。
これにより，例えば前記ベース画像のような背景画像を画面全域に渡って表示させつつ，前記個別表示領域において，前記個別表示画像特定手段により特定された画像を随時出没させることができ，画面全体を有効利用できる。
【発明の効果】
【００１１】
本発明が，大型の画像表示装置に適用され，多くの人に多様な情報を提供する用途に用いられた場合，個々の人の簡易な操作により，その操作者が見やすい画面上の位置（近い位置）にその操作者が望む画像を表示させることができる。その際，個々の操作者の操作に応じて表示画像全体が切り替わることがない。従って，本発明によれば，見たい画像が異なる複数の利用者それぞれにとって操作性の高い画像表示装置を提供することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１実施形態に係る画像表示装置の一例である液晶表示装置Ｘの主要部の構成を表すブロック図，図２は液晶表示装置Ｘが備える光センサ組込型液晶表示パネル及びバックライトの概略構造を表す図，図３は液晶表示装置Ｘにおける画像表示制御処理の手順の一例を表すフローチャート，図４は液晶表示装置Ｘにおいてベース画像が表示されている画面の模式図，図５は液晶表示装置Ｘにおいてベース画像と操作案内情報とが表示されている画面の第１例を表す模式図，図６は液晶表示装置Ｘにおいてベース画像と指定された部分画像の拡大画像とが表示された画面の模式図，図７は液晶表示装置Ｘにおいてベース画像と操作案内情報とが表示されている画面の第２例を表す模式図，図８は液晶表示装置Ｘにおいてベース画像と操作案内情報とが表示されている画面の第３例を表す模式図，図９は本発明の第２実施形態に係る画像表示装置の一例である液晶表示装置Ｘ’においてベース画像と操作案内情報とが表示されている状態の正面図である。
【００１３】
まず，図１に示すブロック図を参照しつつ，本発明の第１実施形態に係る画像表示装置の一例である液晶表示装置Ｘの主要部の構成について説明する。
図１に示すように，液晶表示装置Ｘは，画像入力部１，画像処理回路２，液晶駆動回路３，光センサ組込型液晶表示パネル４，光源駆動回路５，バックライト６，画像再生回路７，画像データ記憶部７ａ，メイン制御回路８，光検出回路９及びタッチ操作検出回路１０等を備えている。
前記画像入力部１は，入力された１つ又は複数の信号から，複数の画像信号を抽出して後段の前記画像処理回路２に伝送するインターフェース回路である。以下，この画像入力部１を通じて得られる複数の画像信号及びその画像を，それぞれ入力画像信号及び入力画像と称する。
前記画像入力部１は，例えば，外部から画像信号を入力する１つ又は複数のインターフェース回路（例えば，ＨＤＭＩ（High Definition Multimedia Interface）規格に準拠した信号伝送回路等）や，テレビジョン放送信号から放送番組の画像信号を抽出（選局）するチューナ等である。
前記画像データ記憶部７ａは，動画や静止画の画像データを記憶するハードディスク及びそのドライブ回路やＤＶＤディスク及びそのドライブ回路等のデータ記憶装置である。
前記画像再生回路７は，前記画像データ記憶部７ａに記憶された画像データに基づく画像の再生処理を行い，再生画像の信号を前記画像処理回路２に伝送する回路である。
【００１４】
また，前記画像処理回路２は，前記入力画像信号，前記再生画像の信号及び前記メイン制御回路８から伝送されてくる情報に基づいて，動画における１コマの画像を構成する各画素の３原色（Ｒ，Ｇ，Ｂ）それぞれの画素階調を表すフレーム信号を順次生成し，そのフレーム信号を前記液晶駆動回路３に伝送する回路である。以下，前記入力画像及び前記再生画像と，前記メイン制御回路８から前記画像処理回路２へ伝送される各種の情報（後述する操作案内情報ｇ２等）を表す画像とを総称してコンテンツ画像という。
例えば，前記画像処理回路２は，以下に示される５つの画像生成機能を備えている。
第１の画像生成機能は，複数のコンテンツ画像の中から選択した１つのコンテンツ画像を表示するフレーム信号を生成するシングル画像画面生成処理を行う機能である。
第２の画像生成機能は，１つの画面内に複数の前記コンテンツ画像が並んで配置された画像を表すフレーム信号を生成するマルチ画像画面生成処理を行う機能である。
第３の画像生成機能は，１つのコンテンツ画像又は複数のコンテンツ画像が並んで配置された画像を画面全域に渡って表示させるとともに，その画像上の一部の領域に，１つ又は複数のコンテンツ画像が重畳された画像を表すフレーム信号を生成するマルチコンテンツ重畳画面生成処理を行う機能である。
第４の画像生成機能は，１つのコンテンツ画像を画面全域に渡って表示させるとともに，その画像上の一部の領域に，そのコンテンツ画像における他の領域の部分画像が重畳された画像を表すフレーム信号を生成するシングルコンテンツ重畳画面生成処理を行う機能である。
第５の画像生成機能は，以上に示した第１〜第４の機能により得られる画像に対し，前記タッチ操作検出回路１０から伝送されるカーソル位置（座標）に配置されるカーソルの画像や，前記メイン制御回路８から伝送される情報を表す画像が重畳された画像を表すフレーム信号を生成する付加画像重畳画面生成処理を行う機能である。
また，前記画像処理回路２は，以上に示される各機能を実現する処理を，前記メイン制御回８からの指令に従って実行する。また，前記画像処理回路２は，例えばＦＰＧＡやＡＳＩＣ等により具現化される。
なお，前記画像処理回路２は，以上に示した以外の処理（画質調整処理等）も行うが，ここではその説明を省略する。
【００１５】
続いて，図２を参照しつつ，前記光センサ組込型液晶表示パネル４及び前記バックライト６の構造について説明する。
前記光センサ組込型液晶表示パネル４は，画像を表示する手段であるとともに，タッチパネルの被操作面を形成するタッチセンサでもある。
図２に示されるように，前記光センサ組込型液晶表示パネル４は，複数のカラー液晶素子４ｐと前方の明るさ（可視光の受光レベル）を検出する複数の光電変換素子４ａ（いわゆる受光素子）各々とが，表示画像の画素ごとにガラスパネル上（２枚のガラスパネルの間）に近接して配列された液晶表示パネルである。前記カラー液晶素子４ｐは，３原色各々の画素を表示するＲ用液晶素子４ｒ，Ｇ用液晶素子４ｇ及びＢ用液晶素子４ｂからなる。
前記フレーム信号における各画素の画素階調に応じて，前記光センサ組込型液晶表示パネル４における前記カラー液晶素子４ｐ各々が，表示画像における各画素を描画する。
以下，画素ごとに設けられた前記カラー液晶素子４ｐ及びそれに隣接配置された前記光電変換素子４ａとを併せて画素ユニット４ｕと称する。この画素ユニット４ｕのピッチが，表示画像の解像度となる。
また，前記液晶駆動回路３は，前記画像処理回路２から所定周期で順次伝送されてくる前記フレーム信号に基づいて，そのフレーム信号に対応する１フレーム分の画像（１コマの画像）を前記光センサ組込型液晶表示パネル４に順次表示させる回路である。これにより，前記光センサ組込型液晶表示パネル４が，前記入力画像信号に基づく画像（動画）を表示する。図２に示されるように，前記液晶駆動回路３は，矩形状の前記光センサ組込型液晶表示パネル４の４辺のうちの縦横の２辺に沿う外縁部に設けられている。
【００１６】
また，前記光検出回路９は，前記光センサ組込型液晶表示パネル４に設けられた前記光電変換素子４ａ各々の検出信号をＡ／Ｄ変換し，その変換により得られる明るさの検出値，即ち，画素毎の受光レベルＢＬ(ｉ)を前記タッチ操作検出回路１０に伝送する回路である。図２に示されるように，前記光検出回路９も，矩形状の前記光センサ組込型液晶表示パネル４の４辺のうちの縦横の２辺（前記液晶駆動回路３が設けられた辺以外の２辺）に沿う外縁部に設けられている。
なお，添字ｉは画素各々を識別する画素番号を表す。
【００１７】
また，前記タッチ操作検出回路１０は，複数の前記光電変換素子４ａ各々による明るさの検出結果（受光レベルＢＬ(ｉ)）に基づいて，パネル表面に対するタッチ操作の内容を検出する回路である。なお，前記パネル表面とは，前記光センサ組込型液晶表示パネル４の表面のことであり，タッチ操作検出手段の被操作面の一例である。
より具体的には，前記タッチ操作検出回路１０は，前記光電変換素子４ａ各々の検出信号の検出結果である各画素の前記受光レベルＢＬ(ｉ)に，予め定められた下限レベル（明るさの下限）を下回るのものが含まれるか否かを常時チェックする。前記下限レベルは，前記光電変換素子４ａの前面（受光部）に指やスタイラスペン等の指示部が接触した状態であるか否かを判別するためのしきい値である。
そして，前記タッチ操作検出回路１０は，前記下限レベルを下回る前記受光レベルＢＬ(ｉ)の存在を検知した場合，その受光レベルＢＬ(ｉ)が検出された位置（座標）でタッチ操作があったと判別し，その位置をタッチ位置として検出する。ここで，前記受光レベルＢＬ(ｉ)が前記下限レベルを下回る画素が，予め定められた小さな範囲（例えば，指先の大きさ程度の範囲）内に複数存在する場合には，前記タッチ操作検出回路１０は，その小さな範囲における代表位置（例えば，中心位置）をタッチ位置として検出する。
また，前記タッチ操作検出回路１０は，前記受光レベルＢＬ(ｉ) が前記下限レベルを下回る画素の数が予め定められた上限画素数以上である場合には，前記タッチ操作位置を検出しない。これにより，タッチ操作以外の要因により前記受光レベルＢＬ(ｉ)が低下した場合に，前記タッチ操作位置が誤検知されることを防止できる。
【００１８】
さらに，前記タッチ操作検出回路１０は，前記タッチ位置及びその変化に基づいて，タッチ操作の種類及び画面上のカーソル位置を検出する。
例えば，前記タッチ操作検出回路１０は，順次検出される前記タッチ位置の軌跡が一連の線を形成する場合，タッチ操作の種類が摺動操作であると判別する。
また，前記タッチ操作検出回路１０は，所定時間内に予め定められた位置ずれの範囲内で２回のタッチ操作が検出された場合，タッチ操作の種類が確定操作であると判別する。
また，前記タッチ操作検出回路１０は，前記メイン制御回路８から指定される動作モードが，タッチパッドモードであるかタッチパネルモードであるかに応じて，カーソル位置の検出方法（カーソル位置の設定方法）を切り替える。
即ち，前記タッチ操作検出回路１０は，前記タッチパッドモードの指定がなされた場合，前記メイン制御回路８から指定された初期位置（初期座標）をカーソル位置の初期値（起点）とし，その後，前記摺動動作の摺動方向及び摺動速度に応じてそのカーソル位置を前回の位置から次の位置へと変化させる。
一方，前記タッチ操作検出回路１０は，前記タッチパネルモードの指定がなされた場合，随時検出される前記タッチ位置そのものをカーソル位置に設定する。
このように，前記タッチ操作検出回路１０は，いわゆるタッチパッドと同様の処理を行う動作モードと，タッチパネルと同様の処理を行う動作モードとの切り替え機能を有している。
【００１９】
また，前記バックライト６は，複数の白色の光源（ここでは，ＬＥＤ光源６ａ）を備え，前記光センサ組込型液晶表示パネル４をその背面側から照明するものである。
また，前記光源駆動回路５は，不図示の調光回路からの制御指令に従って，前記バックライト６における前記ＬＥＤ光源６ａそれぞれに対する供給電力を調節することにより，前記ＬＥＤ光源６ａそれぞれの発光輝度を調節する回路である。図２に示されるように，前記光源駆動回路５は，全体として矩形状に配列された前記ＬＥＤ光源６ａの外縁を形成する４辺のうちの縦横の２辺に沿う部分に設けられている。
なお，前記バックライト６の光源は，冷陰極管であってもかまわない。
【００２０】
また，図１に示される前記メイン制御回路８は，演算手段であるＭＰＵ８１及び不揮発性メモリであるＥＥＰＲＯＭ８２等を備え，前記ＭＰＵ８１が不図示のＲＯＭに記憶された制御プログラムを実行することにより，当該液晶表示装置Ｘが備える各構成要素の制御処理を実行するものである。
また，前記タッチ操作検出回路１０によりタッチ操作が検知された場合，前記メイン制御回路８における前記ＭＰＵ８１は，そのタッチ操作の内容に応じた処理を行うタッチパネル制御を実行する。
例えば，前記ＭＰＵ８１は，前記画像処理回路２を制御することにより，タッチ操作の内容に応じた画像を前記光センサ組込型液晶表示パネル４に表示させる。
なお，前記光センサ組込型液晶表示パネル４は，画質調節のための明るさセンサとしても利用される。
【００２１】
続いて，図３に示されるフローチャートを参照しつつ，液晶表示装置Ｘにおける画像表示制御処理の手順の一例について詳述する。図３に示される画像表示制御処理は，液晶表示装置Ｘの通電が開始されたときに開始される。なお，以下に示すＳ０，Ｓ１，Ｓ２，…は，処理手順（ステップ）の識別符号を表す。なお，以下の説明では，前記光センサ組込型液晶表示パネル４のことを液晶パネル４と略称する。
まず，前記画像処理回路２が，それぞれ個別の複数の前記コンテンツ画像が画面全体の中の一部の画像（以下，部分画像という）として配置されたベース画像ｇ０を，前記液晶パネル４の画面の全域又はその大部分の領域に渡って表示させる（Ｓ０）。この処理は，前記メイン制御回路８からの指令に従って実行される。また，前記ベース画像ｇ０のフレーム信号は，前記画像処理回路２の前記マルチ画像画面生成処理（前記第２の画像生成機能）により生成される。以下，前記ベース画像ｇ０に前記部分画像として含められた前記コンテンツ画像のことを，部分コンテンツ画像ｇ１という。
図４は，前記液晶パネル４に前記ベース画像ｇ０が表示されている画面の一例を現す模式図である。
図４に示される前記ベース画像ｇ０は，前記液晶パネル４に対するタッチ操作により拡大表示させることが可能な前記コンテンツ画像の全てが一覧表示される画像である。このベース画像ｇ０に含められる前記部分コンテンツ画像ｇ１としては，以下のような画像が考えられる。
例えば，前記部分コンテンツ画像ｇ１が，前記画像入力部１や前記画像再生回路７を通じて得られる前記コンテンツ（動画）がそのまま表示された画像であることが考えられる。但し，この場合，表示させる前記部分コンテンツ画像ｇ１の数が多いほど，高性能の処理回路が必要となる。
その他，前記部分コンテンツ画像ｇ１が，前記画像入力部１や前記画像再生回路７を通じて得られる前記コンテンツ画像（動画）の全体から，所定のサンプリング周期で一部のコマ画像が間引かれて生成されたコマ送り画像であることも考えられる。前記ベース画像ｇ０は，各コンテンツ画像の概略の内容が一覧表示されればよいため，動画の更新周期が多少長くても特に問題にならない。
【００２２】
次に，前記メイン制御回路８が，前記タッチ操作検出回路１０の検出結果に基づいて，前記液晶パネル４に対するタッチ操作がなされたか否かを判別する（Ｓ１）。
そして，前記タッチ操作が検知されると，さらに，前記メイン制御回路８は，そのタッチ操作が，既に個別タッチ領域として使用中の領域内でタッチされた操作であるか，前記個別タッチ領域として未使用の領域でタッチされた操作であるのかを判別する（Ｓ２）。前記個別タッチ領域は，前記メイン制御回路８によって動的に設定及びその設定の解除がなされる前記液晶パネル４表面（被操作面）上の領域である。その設定方法については後述する。
以下，前記個別タッチ領域として未使用の操作領域内で新たに検知されたタッチ操作のことを，第１のタッチ操作という。前記ベース画像ｇ０のみが表示されている状態で最初になされるタッチ操作は前記第１のタッチ操作である。
【００２３】
そして，ステップＳ１で検知された前記タッチ操作が，前記個別タッチ領域として未使用の領域内での操作（前記第１のタッチ操作）であると判別された場合，前記メイン制御回路８は，以下のステップＳ３〜Ｓ７の処理を実行する。
まず，前記メイン制御回路８は，前記第１のタッチ操作のタッチ位置を含む前記液晶パネル４（被操作面）上の一定範囲を占める領域を前記個別タッチ領域に設定する（Ｓ３）。これにより，前記前記第１のタッチ操作ごとに，そのタッチ位置に対応する前記液晶パネル４の表面（被操作面）の一部の領域が前記個別タッチ領域として確保（設定）され，使用中となる。具体的には，前記第１のタッチ操作の識別情報と，前記個別タッチ領域を表す座標情報と，使用中を表すフラグ情報とが前記ＭＰＵ８１の主メモリに記憶される。
さらに，前記メイン制御回路８は，前記液晶パネル４の表示領域の中で，前記第１のタッチ操作のタッチ位置の近くで一定範囲を占める領域を，当該第１のタッチ操作に対応する個別表示領域に設定する（Ｓ３）。
このステップＳ３において設定される前記個別タッチ領域と前記個別表示領域とは，相互に関連づけられる。即ち，前記個別タッチ領域及び前記個別表示領域は，前記第１のタッチ操作ごとに個別に設定される。
さらに，前記メイン制御回路８は，新たに設定した前記個別タッチ領域に対する未操作の使用を計時する未操作計時処理をスタートさせる（Ｓ４）。この未操作計時処理によりカウントアップされる計時時間は，前記個別タッチ領域ごと，即ち，前記第１のタッチ操作ごとに管理される。
【００２４】
さらに，前記メイン制御回路８は，前記個別タッチ領域に関する動作モードとして選択モードを設定する（Ｓ５）。この選択モードは，前記個別タッチ領域が，前記個別表示領域に表示させる画像（コンテンツ画像）を選択（指定）する操作の検知に用いられる動作モードを表す。この選択モードと区別される動作モードには表示モードがある。この表示モードは，前記個別表示領域に既に選択された画像（コンテンツ画像）が表示されているときに，前記個別タッチ領域において新たなタッチ操作が受け付けられる動作モードを表す。
また，前記画像処理回路２が，前記メイン制御回路８の指令に従って，そのメイン制御回路８から指定される操作案内情報を前記個別表示領域に表示させる（Ｓ６，操作案内表示制御）。
さらに，前記画像処理回路２は，前記メイン制御回路８の指令に従って，前記タッチ操作検出回路１０から得られるカーソル位置に所定のカーソル（マーク）を表示させる（Ｓ７）。このとき，前記画像処理回路２は，前記液晶パネル４の画面における前記ベース画像の上に，前記個別表示領域ごとに異なるカーソルを表示させる。これらステップＳ６，Ｓ７の処理により表示される画像のフレーム信号は，前記マルチ画像画面生成処理（前記第２の画像生成処理）及び前記付加画像重畳画面生成処理（前記第５の画像生成機能）により生成される。なお，このとき，カーソル位置の初期値が，前記メイン制御回路８から前記タッチ操作検出回路１０に対して指定される。
以上のステップＳ３〜Ｓ７の処理が行われた後，前述したステップＳ１へ処理が戻される。
【００２５】
図５は，前記液晶パネル４に前記ベース画像ｇ０と前記操作案内情報ｇ２とが表示されている画面の第１例を表す模式図である。なお，図５及び後に説明する図６〜図９において，人の手を表すマーク及びその近傍の縦横の矢印のマークは，それぞれタッチ操作を行う操作者の手，及びその摺動操作の方向を表し，前記液晶パネル４に表示される画像を表すものではない。
図５に示されるように，前記液晶パネル４の画面上のある位置で前記第１のタッチ操作が検知されると，前記メイン制御回路８により，そのタッチ位置を含む一定範囲の領域に前記個別タッチ領域Ａ２が設定される。それに併せて，前記画像処理回路２により，前記第１のタッチ操作のタッチ位置に近い表示領域である前記個別表示領域Ａ１に，前記操作案内情報ｇ２が表示される。
また，前記画像処理回路２により，前記液晶パネル４の画面における前記ベース画像ｇ０の上に，前記個別タッチ領域Ａ２のいずれかに対応付けられたカーソルｇ３（マーク）が表示される。このカーソルｇ３は，例えば，前記個別タッチ領域Ａ２ごとに異なる表示態様（例えば，色や形が異なる）で表示される。
ここで，前記個別表示領域Ａ１及び前記個別タッチ領域Ａ２は，次の２つのいずれかであることが考えられる。その１つは，前記液晶パネル４の画面全体が複数に区分された予め定められた領域である。２つ目は，前記第１のタッチ操作が検知されるごとに，そのタッチ位置を基準として予め定められた規則に従って動的に設定される領域である。
また，前記個別表示領域Ａ１及び前記個別タッチ領域Ａ２は，その範囲が画面に表示されるとは限らない。
また，図５に示される例は，前記個別表示領域Ａ１と前記個別タッチ領域Ａ２とが同じ領域である例であるが，それらは異なる領域であってもよい。
【００２６】
一方，ステップＳ２において，検知された前記タッチ操作が，既に前記個別タッチ領域として使用中の領域内で検知されたタッチ操作であると判別されると，前記メイン制御回路８は，前記未操作計時処理をリセットする（Ｓ８，最初からやり直す）。このように，既に前記個別タッチ領域として使用中の領域内で検知されたタッチ操作のことを第２のタッチ操作という。
さらに，前記メイン制御回路８は，前記第２のタッチ操作が検知された前記個別タッチ領域の前記動作モードが，前記選択モードであるか前記表示モードであるかを判別する（Ｓ９）。
そして，前記動作モードが前記選択モードであると判別された場合，前記画像処理回路２及び前記メイン制御回路８が，以下のステップＳ１０〜Ｓ１３の処理を実行する。
【００２７】
まず，前記メイン制御回路８が，ステップＳ１で検知されたタッチ操作（前記第２のタッチ操作）の種類を判別し（Ｓ１０），それが前記摺動操作であれば，前記画像処理回路２によってカーソル表示位置の移動処理が行われ（Ｓ１１），その後，処理が前述したステップＳ１へ戻される。このときのカーソル移動は，前記タッチパッドモードで行われる。
図５に示される例は，前記摺動操作の摺動方向に応じて，カーソルｇ３が，前記ベース画像ｇ０における前記部分コンテンツ画像ｇ１のいずれかを指定する位置へ順次移動される例である。従って，図５に示される例におけるカーソルｇ３は，常にいずれか１つの前記部分コンテンツ画像ｇ１を指定する状態となる。
また，複数の前記個別タッチ領域Ａ２が設定されている場合，その個別タッチ領域Ａ２ごとに，その領域に対する前記第２のタッチ操作（摺動操作）に応じたカーソル移動処理が行われる。
【００２８】
一方，前記第２のタッチ操作が前記確定操作である場合，前記画像処理回路２により，その第２のタッチ操作に対応する前記個別表示領域Ａ１に，前記確定操作が行われたときにカーソルｇ３の指示位置にある前記コンテンツ画像が表示される（Ｓ１２）。その際，前記画像処理回路２により，前記第２のタッチ操作に対応する前記個別表示領域Ａ１に，新たな操作案内情報も表示される。このステップＳ１２で表示される画像のフレーム信号は，前記マルチコンテンツ重畳画面生成処理（前記第３の画像生成機能）により生成される。
図６は，ステップＳ１２の処理により，前記液晶パネル４に前記ベース画像ｇ０と指定された前記部分コンテンツ画像ｇ１が拡大されたコンテンツ画像ｇ４とが表示された画面の模式図である。図６に示される前記新たな操作案内情報は，画面切替ボタンｇ５及び終了ボタンｇ６である。
前記画面切替ボタンｇ５は，その表示位置でタッチ操作を行うことにより，前記個別表示領域Ａ１に表示させるコンテンツ画像を切り替える処理が実行される旨を案内するマークである。また，前記終了ボタンｇ６は，その表示位置でタッチ操作を行うことにより，前記個別表示領域Ａ１へのコンテンツ画像の表示が終了する旨を案内するマークである。
そして，前記個別表示領域Ａ１に前記コンテンツ画像が表示されると，前記メイン制御回路８が，前記個別タッチ領域Ａ２に関する動作モードの設定を前記選択モードから前記表示モードに変更し（Ｓ１３），その後，処理が前述したステップＳ１へ戻される。
なお，前記個別表示領域Ａ１が，前記操作案内情報ｇ２（図５参照）の表示領域と前記コンテンツ画像ｇ４の表示領域とに分けて設定されること，及びそれらが重複するよう設定されることの両方が考えられる。
【００２９】
以上に示したように，液晶表示装置Ｘでは，前記画像処理回路２が，前記液晶パネル４の画面における前記ベース画像ｇ０の上に，前記個別タッチ領域Ａ２ごとに異なるカーソルｇ３を表示させる（Ｓ７）。さらに，前記画像処理回路２は，前記個別タッチ領域Ａ２における前記第２のタッチ操作の内容に応じて，カーソルｇ３の表示位置の移動処理を行う（Ｓ１１）。また，前記メイン制御回路８が，カーソルｇ３の指示位置の確定処理を行い（Ｓ１１），確定されたカーソルｇ３の指示位置に表示されている前記ベース画像の一部の前記部分コンテンツ画像ｇ１を，前記個別表示領域Ａ１に表示させる画像として特定する（Ｓ１２）。
このように，液晶表示装置Ｘにおいて，前記メイン制御回路８及び前記画像処理回路２は，タッチ操作に応じてカーソルｇ３を移動させて表示画像を特定するカーソル指定式の画像特定処理を実行する機能を有している。
そして，そのように特定されたコンテンツ画像が，前記画像処理回路２により，前記個別表示領域Ａ１に表示される（Ｓ１２，個別画像表示制御）。
なお，以上の処理により前記個別表示領域Ａ１に表示されるコンテンツ画像は，前記液晶パネル４の画面に既に表示中の前記ベース画像ｇ０の一部の部分画像の一例である。
【００３０】
また，ステップＳ９において前記第２のタッチ操作が検知されたときに，そのタッチ位置に対応する前記個別タッチ領域の動作モードが前記表示モードである場合，前記メイン制御回路８は，前記第２のタッチ操作が，前記画像切替ボタンｇ５をタッチする操作であるか，前記終了ボタンｇ６をタッチする操作であるかを判別する。前記表示モードにおいては，前記タッチパネルモードでのカーソル位置検出が行われる。なお，いずれのボタンのタッチ操作でもない場合は，そのまま処理がステップＳ１戻される（不図示）。
そして，前記第２のタッチ操作が前記画像切替ボタンｇ５をタッチする操作である場合，前記メイン制御回路８は，処理を前述したステップＳ５〜Ｓ７へ移行させる。これにより，新たなコンテンツ画像を指定して前記個別表示領域Ａ１に表示させることが可能となる。
【００３１】
一方，前記メイン制御回路８は，前記個別タッチ領域Ａ２ごとに，前記未操作計時処理による計時時間が，予め定められた上限時間を超えたか否か，即ち，タッチ操作がない状態の継続時間が前記上限時間を超えたか否かを随時チェックする（Ｓ１８）。
そして，タッチ操作がない状態が前記上限時間を超えて継続している前記個別タッチ領域Ａ２が存在する場合，又は，前記表示モードにおいて前記終了ボタンｇ６のタッチ操作が検知された場合に，前記メイン制御回路８及び前記画像処理回路２は，以下の個別画像表示終了処理（Ｓ１５〜Ｓ１７）を実行する。
なお，タッチ操作がない状態の継続時間が上限時間を超えたこと，及び，前記終了ボタンｇ６のタッチ操作がなされたことは，前記個別表示領域Ａ１ごと（前記個別タッチ領域Ａ２ごと，と同義）に判別される終了条件の一例である。
前記個別画像表示終了処理では，まず，前記画像処理回路２が，前記終了条件の成立した前記個別表示領域Ａ１について，前記個別表示領域Ａ１への前記コンテンツ画像ｇ４の重畳表示処理（個別画像表示制御）と，前記操作案内情報ｇ２，ｇ５，ｇ６の表示処理（操作案内表示制御）とを終了させる（Ｓ１６，個別表示終了制御）。具体的には，前記終了条件の成立した前記個別表示領域Ａ１の設定が解除され，その領域が未使用中とされる。さらに，その個別表示領域Ａ１に対応する前記個別タッチ領域Ａ２の設定も解除される。その結果，前記液晶パネル４の表示状態が，前記ベース画像ｇ０のみが表示される初期の表示状態に戻される。
さらに，前記メイン制御回路８は，前記終了条件の成立した前記個別タッチ領域Ａ２について，前記未操作計時処理を停止し（Ｓ１７），その後，処理をステップＳ１へ移行させる。
【００３２】
以上に示したように，液晶表示装置Ｘでは，操作者が前記液晶パネル４の表面（被操作面）に前記第１のタッチ操作を行った場合に，そのタッチ位置に対応した画面上の位置（具体的には，タッチ位置に近い位置）に前記操作案内情報ｇ２が表示される（Ｓ６，図５）。さらに，操作者が，その操作案内情報ｇ２に従って，前記第１のタッチ操作を行った位置（前記個別タッチ領域Ａ２内）で所望の画像を指定するタッチ操作を行えば，そのタッチ位置に近い位置（前記個別表示領域Ａ１）に指定した画像が表示される（Ｓ１２，図６）。
従って，画面サイズの大きな液晶表示装置Ｘが，多くの人に多様な情報を提供する用途に用いられた場合，個々の人の簡易なタッチ操作により，その操作者が見やすい画面上の位置（近い位置）にその操作者が望む画像が表示される。即ち，個々の操作者の操作に応じて表示画像全体が切り替わることなく，個々の操作者が望む画像が個々の操作者の見やすい位置に表示され，操作性の高い画像表示装置が実現される。
【００３３】
また，液晶表示装置Ｘでは，前記第２のタッチ操作の内容に応じて，前記液晶パネル４の画面に既に表示中の前記ベース画像ｇ０の一部の部分画像が，前記個別表示領域Ａ１に表示される（Ｓ１２）。
このような構成は，表示可能なコンテンツ画像の全てが一覧表示される前記ベース画像ｇ０の表示中に，個々の操作者が，そのベース画像ｇ０の中の一部の部分画像を次々と見やすい位置（前記個別表示領域Ａ１）に表示させて詳しく確認したいという用途に対し特に好適である。例えば，観光地や見学施設等に設置される案内ディスプレイへの用途がそれにあたる。
【００３４】
また，前記メイン制御回路８は，不図示のリモート操作器を通じた操作入力，或いは前記液晶パネル４に対するタッチ操作に応じて，前記ベース画像ｇ０に含めるコンテンツ画像を設定し，その内容を前記ＥＥＰＲＯＭ８２に記憶させる機能を備えている。
例えば，前記メイン制御回路８は，前記リモート操作器を通じてベース画像登録用の操作入力を検知した場合に，前記ベース画像ｇ０に含めることが可能なコンテンツ画像の候補をベース画像選択メニューとして前記液晶パネル４に表示させる。さらに，前記メイン制御回路８は，前記リモート操作器を通じた項目選択操作に応じて，前記ベース画像選択メニューの選択項目の中から，予め定められた前記ベース画像ｇ０の画像レイアウトにおける画像表示位置ごとに，コンテンツ画像を選択する。さらに，前記メイン制御回路８は，前記画像レイアウトにおける画像表示位置と選択されたコンテンツ画像の種類との対応関係を表すベース画像レイアウト情報を前記ＥＥＰＲＯＭ８２に記録（登録）する。
そして，前記ステップＳ０において，前記メイン制御回路８は，前記ＥＥＰＲＯＭ８２に予め記録された前記ベース画像レイアウト情報に従った前記ベース画像ｇ０が表示されるよう，前記画像処理回路２を制御する。
このように，液晶表示装置Ｘは，外部から前記画像入力部１を通じてコンテンツ画像の信号が入力される，又は予め前記画像データ記憶部７ａにコンテンツ画像のデータが登録（記憶）されることにより，それ単独で図３に示された画像表示制御処理を実行する。即ち，前記液晶表示装置Ｘに接続された計算機において，タッチ操作の検知内容に応じて表示画像の切り替えを行うアプリケーションプログラムが構築される必要がない。その結果，コンピュータプログラミングの知識のない人でも，容易に図４〜図６に示されるような画像表示の切り替えが行われるアプリケーションを実現できる。
【００３５】
次に，図７を参照しつつ，前記第２のタッチ操作に応じて前記個別表示領域Ａ１に表示させる画像を特定する個別表示画像特定処理の第２の実施例について説明する。
図７は，前記液晶パネル４に，前記ベース画像ｇ０と前記操作案内情報ｇ２とが表示されている画面の第２例を表す模式図である。
図７に示される例においても，図４〜図６に示した例と同様に，前記ベース画像ｇ０には，それぞれ個別の前記コンテンツ画像である複数の前記部分コンテンツ画像ｇ１（部分画像）が含まれる。また，図７に示される例では，複数の前記部分コンテンツ画像ｇ１とともに，各コンテンツ画像の識別情報が前記ベース画像ｇ０に含められている。
【００３６】
一方，図７に示される例では，前記個別表示領域Ａ１に表示される前記操作案内情報が，複数の前記コンテンツ画像の識別情報を選択項目とする選択メニュー情報ｇ８である。
この場合，前記メイン制御回路８は，前記第２のタッチ操作の内容に応じて前記選択メニュー情報ｇ８における前記識別情報を選択することにより，複数の前記コンテンツ画像の中から前記個別表示領域Ａ１に表示させる画像を特定する。なお，このとき，前記タッチ操作検出回路１０は，前記タッチパネルモードでのカーソル位置検知を行い，そのカーソル位置に対応する前記識別情報が選択される。なお，図７に示される画像のフレーム信号は，前記画像処理回路２の前記マルチ画像画面生成処理（前記第２の画像生成機能）及び前記付加画像重畳画面生成処理（前記第５の画像生成機能）により生成される。
このように，前記メイン制御回路８が，選択メニュー情報ｇ８に基づく項目選択に応じて表示画像を特定するメニュー選択式の画像特定処理を実行する機能を備えることも考えられる。
このような実施形態は，例えば，前記コンテンツ画像の選択の際，前記ベース画像ｇ０内に配置された前記部分コンテンツ画像ｇ１の表示位置が特に重要でない場合に，選択メニューを近くで確認できる点で好適である。
また，前記メニュー選択式の画像特定処理では，例えば，前記選択メニュー情報ｇ８における各選択項目（識別情報）を各コンテンツ画像の内容を表すタイトル等とすることが考えられる。この場合，必ずしも前記ベース画像ｇ０に前記部分コンテンツ画像ｇ１が含められる必要はない。
【００３７】
次に，図８を参照しつつ，前記個別表示画像特定処理の第３の実施例について説明する。
図８は，前記液晶パネル４に，前記ベース画像ｇ０と前記操作案内情報ｇ２とが表示されている画面の第３例を表す模式図である。
図８に示される例においても，図４〜図６に示した例と同様に，前記個別タッチ領域Ａ２への前記第２のタッチ操作に応じてカーソルｇ３を移動させ，そのカーソルｇ３の指示位置に対応する部分画像を表示画像として特定するカーソル指定式の画像特定処理が実行される。
一方，図８に示される例では，前記ベース画像ｇ０は，１つのコンテンツ画像が前記液晶パネル４の画面の全域又はその大部分に渡って表示される画像である。例えば，前記ベース画像ｇ０は，観光地や見学施設等における観光ポイントや見学ポイントの説明画像を含む案内マップの画像等である。
また，図８に示されるカーソルは，前記部分画像の範囲を表す枠状のカーソルｇ３であり，その枠状のカーソルｇ３の表示位置が，前記第２のタッチ操作における前記摺動操作に応じて任意の位置に移動される。なお，この枠状のカーソルｇ３も，色や線種の区別により，前記個別タッチ領域Ａ２ごとに異なる態様で表示される。なお，図８に示される画像のフレーム信号は，前記画像処理回路２の前記シングル画像画面生成処理（前記第１の画像生成機能）及び前記付加画像重畳画面生成処理（前記第５の画像生成機能）により生成される。
そして，前記メイン制御回路８は，前記第２のタッチ操作が前記確定操作である場合に，そのときの前記枠状のカーソルｇ３の内側の部分画像を，前記個別表示領域Ａ１に表示させる画像として特定する。このようにして特定された部分画像は，前記画像処理回路２により，前記個別表示領域Ａ１に拡大表示される。即ち，１つのコンテンツ画像である前記ベース画像からその一部の領域の画像（前記部分画像）が切り出され，その部分画像の拡大画像が前記ベース画像に重畳されて表示される。その際に表示される画像のフレーム信号は，前記画像処理回路２の前記シングルコンテンツ重畳画面生成処理（前記第４の画像生成機能）により生成される。なお，図８は，前記部分画像が拡大表示される前の状況を表す。
図８に示される例は，例えば，前記ベース画像ｇ０が，操作者の現在地（当該画像表示装置Ｘの設置場所）及び観光ポイントの説明画像を含む観光マップの画像である場合に，操作者が，現在地に近いものから順に観光ポイントの説明画像を確認するような用途に好適である。
【００３８】
次に，図９を参照しつつ，本発明の第２実施形態に係る画像表示装置の一例である液晶表示装置Ｘ’について説明する。図９は，液晶表示装置Ｘ’において前記ベース画像ｇ０と前記操作案内情報ｇ２とが表示されている状態の正面図である。以下，液晶表示装置Ｘ’について，前記液晶表示装置Ｘと異なる部分についてのみ説明する。
液晶表示装置Ｘ’は，前記液晶パネル４の画面の周囲に形成される縁枠部材２０にタッチ操作の被操作面を形成する複数の静電容量センサ９’が設けられている。これら複数の静電容量センサ９’は，前記液晶パネル４の画面の幅に対応する範囲（画面幅と同じ又はほぼ同じ範囲）に渡って配列されている。
また，液晶表示装置Ｘ’は，複数の前記静電容量センサ９’ごとに，その表面に対するタッチ操作の内容を個別に検知する静電容量式タッチ操作検出回路（不図示）を備えている。いわゆるタッチパッドを構成する前記静電容量センサ９’及び前記容量式タッチ操作検出回路は，前記液晶表示装置Ｘにおける前記光検出回路９及び前記タッチ操作検出回路１０の代わりに設けられるものである。
従って，液晶表示装置Ｘ’における液晶パネル４は，光電変換素子が組み込まれた前記光センサ組込型液晶表示パネルである必要はなく，一般的な液晶パネルが採用され得る。
そして，液晶表示装置Ｘ’においては，前記静電容量式タッチ操作検出回路により，前記第１のタッチ操作が複数の前記静電容量センサ９’のいずれに対してなされたかが検知される。そして，前記メイン制御回路８は，前記第１のタッチ操作が検知された前記静電容量センサ９’と，それを中心とする所定範囲内に存在する他の静電容量センサ９’とを，前記個別タッチ領域Ａ２として設定する。
さらに，前記メイン制御回路８は，前記第１のタッチ操作が検知された前記静電容量センサ９’の近傍の表示領域に前記個別表示領域Ａ１を設定する。そして，前記メイン制御回路８及び前記画像処理回路２は，前記個別表示領域Ａ１及び前記個別タッチ領域Ａ２に関する各処理を，前記液晶表示装置Ｘの場合と同様に実行する。
以上に示した例も，本発明の実施例として考えられる。
【産業上の利用可能性】
【００３９】
本発明は，画像表示装置への利用が可能である。
【図面の簡単な説明】
【００４０】
【図１】本発明の第１実施形態に係る画像表示装置の一例である液晶表示装置Ｘの主要部の構成を表すブロック図。
【図２】液晶表示装置Ｘが備える光センサ組込型液晶表示パネル及びバックライトの概略構造を表す図。
【図３】液晶表示装置Ｘにおける画像表示制御処理の手順の一例を表すフローチャート。
【図４】液晶表示装置Ｘにおいてベース画像が表示されている画面の模式図。
【図５】液晶表示装置Ｘにおいてベース画像と操作案内情報とが表示されている画面の第１例を表す模式図。
【図６】液晶表示装置Ｘにおいてベース画像と指定された部分画像の拡大画像とが表示された画面の模式図。
【図７】液晶表示装置Ｘにおいてベース画像と操作案内情報とが表示されている画面の第２例を表す模式図。
【図８】液晶表示装置Ｘにおいてベース画像と操作案内情報とが表示されている画面の第３例を表す模式図。
【図９】本発明の第２実施形態に係る画像表示装置の一例である液晶表示装置Ｘ’においてベース画像と操作案内情報とが表示されている状態の正面図。
【符号の説明】
【００４１】
Ｘ，Ｘ’：液晶表示装置
１  ：画像入力部
２  ：画像処理回路
３  ：液晶駆動回路
４  ：光センサ組込型液晶表示パネル
４ｕ：画素ユニット
４ａ：光電変換素子
４ｐ：カラー液晶素子
４ｒ：Ｒ用液晶素子
４ｇ：Ｇ用液晶素子
４ｂ：Ｂ用液晶素子
５  ：光源駆動回路
６  ：バックライト
６ａ：ＬＥＤ光源
７  ：画像再生回路
７ａ：画像データ記憶部
８  ：メイン制御回路
８１：ＭＰＵ
８２：ＥＥＰＲＯＭ
９  ：光検出回路
１０：タッチ操作検出回路
【図１】
2010015501.tif 000003
【図２】
2010015501.tif 000004
【図３】
2010015501.tif 000005
【図４】
2010015501.tif 000006
【図５】
2010015501.tif 000007
【図６】
2010015501.tif 000008
【図７】
2010015501.tif 000009
【図８】
2010015501.tif 000010
【図９】
2010015501.tif 000011